【手続補正書】
【提出日】平成16年1月21日(2004.1.21)
【手続補正１】
【補正対象書類名】特許請求の範囲
【補正対象項目名】全文
【補正方法】変更
【補正の内容】
【特許請求の範囲】
【請求項１】
電子式支払機構に使用する非対称形カードにおいて、
前記非対称形カードに上部表面及び下部表面を設け、これ等の各表面により前記非対称形カードの互いに対向する向きに向いた前面及び後面に表面区域を形成し、これ等の各表面をこの表面に沿い中心線に対し非対称形にし、前記非対称形カードに、前記表面の一方に沿い磁気ストライプを設け、この磁気ストライプに前記非対称形カードに関する情報を含め、この磁気ストライプに前記非対称形カードに協働する人による信用購入に関する情報を含め、前記非対称形カードに、第１のカード半径を持つように形成した少なくとも１つの弧状部分を持つ第１のカード端部を設けた非対称形カード。
【請求項２】
前記中心線を上下方向中心線とした請求項１の非対称形カード。
【請求項３】
前記中心線を水平方向中心線とした請求項１の非対称形カード。
【請求項４】
さらに、前記カードに第２のカード半径を持つように形成した少なくとも１個所の弧状部分を持つ第２のカード端部を設け、
前記カードに、前記第１のカード端部と前記第２のカード端部との間で前記カードの第１の側部に、第１のカード接続部分を設け、この第１のカード接続部分に、少なくとも１個所の凸形湾曲部分を設け、前記カードに、前記第１のカード端部と前記第２のカード端部との間で前記カードの第２の側部に第２のカード接続部分を設け、この第２のカード接続部分に少なくとも１個所の凹入湾曲部分を設けて、
成る請求項１の非対称形カード。
【請求項５】
前記第２のカード半径を前記第１のカード半径より短かくした請求項４の非対称形カード。
【請求項６】
上部及び下部のカバー部分を持つケースを備え、前記カードを、前記上部カバー部分と前記下部カバー部分との間に挿入し、これ等の両カバー部分に取りはずしできるように連結し、前記カードをこのカードの上部表面積の大部分を、前記カバー部分を閉込める閉位置から、前記カードの下部表面積の大部分が前記カードにアクセスできるように前記カバー部分から露出する開位置に、前記上部カバー部分と、前記下部カバー部分との間で可動にした請求項１の非対称形カード。
【請求項７】
前記カードを枢動連結部で前記上部カバー部分と前記下部カバー部分とに枢動できるように連結した請求項６の非対称形カード。
【請求項８】
前記カードを、前記上部カバー部分と前記下部カバー部分との枢動連結部から取りはずせるようにした請求項７の非対称形カード。
【請求項９】
前記カードに、前記上部カバー部分と前記下部カバー部分とに対する枢動できる連結用に開端部を持つきざみ付き開口を設けた請求項７の非対称形カード。
【請求項１０】
前記きざみ付き開口に、前記上部カバー部分と、前記下部カバー部分とに対し前記カードが枢動する回動ができるように実質的に円形の部分を設けた請求項９の非対称形カード。
【請求項１１】
前記枢動できる連結部を、前記上部部分と、前記下部部分とを互いに連結するピボット・ピンにより形成した請求項７の非対称形カード。
【請求項１２】
前記ケースに、上部カバー部分と、下部カバー部分とを設け、これ等の上部カバー部分と下部カバー部分とのそれぞれに、第１のカバー半径を持つように形成した少なくとも１つの弧状部分を持つ第１のカバー端部と、第２のカバー半径を持つように形成した少なくとも１つの弧状部分を持つ第２のカバー端部とを設け、
前記上部カバー部分と前記下部カバー部分とのそれぞれに、前記第１のカバー端部と前記第２のカバー端部との間で、前記カバー部分の第１の側部に第１のカバー連結部分を設け、この第１カバー連結部分に、少なくとも１つの凹入湾曲部分を設け、前記上部カバー部分と前記下部カバー部分とのそれぞれに、前記第１のカバー端部と前記第２のカバー端部との間で、前記カバー部分の第２の側部に第２のカバー連結部分を設け、この第２のカバー連結部分に、少なくとも１つの凸形湾曲部分を設けた請求項６の非対称形カード。
【請求項１３】
前記第１のカバー半径を持つ前記第１のカバー端部が、少なくとも１８０°にわたり前記弧状部分の丸み付き部分を形成した請求項１１の非対称形カード。
【請求項１４】
前記第１のカバー半径を持つ前記第２のカバー端部が、少なくとも１８０°にわたり前記弧状部分の丸み付き部分を形成した請求項１３の非対称形カード。
【請求項１５】
前記第１のカバー連結部分の前記凹入湾曲部分が、前記第１のカバー端部の前記丸み付き部分になめらかに合体するようにした請求項１２の非対称形カード。
【請求項１６】
前記第２のカバー連結部分の凸形湾曲部が、前記第１のカバー端部の前記丸み付き部分になめらかに合体するようにした請求項１２の非対称形カード。
【請求項１７】
前記非対称形カードが、前記閉位置において前記カバー部分内に閉込められたときに、前記非対称形カードの第１のカード連結部分の前記上部表面の前記凸形部分が、前記非対称形カバーの前記第１のカバー連結部分の前記凹入部分の外側に延びるようにした請求項１２の非対称形カード。
【請求項１８】
前記下部ケース部分に、このケース部分内に埋込んだマイクロプロセッサ・チップを設けた請求項６の非対称形カード。
【請求項１９】
前記マイクロプロセッサ・チップが、協働する電子式支払機構に、これ等両者間に伝送される無線通信信号により通信するようにした請求項１８の非対称形カード。
【請求項２０】
前記無線通信信号により、前記協働する電子式支払機構との通信と、前記非対称形カードに協働する情報の識別とが行われ、前記電子式支払い機構により、前記非対称形カードに含まれる情報に関連する情報の伝送が行われるようにした請求項１９の非対称形カード。
【請求項２１】
前記上部カバー部分と前記下部カバー部分との少なくとも一方が、前記カードに関連するバーコード情報を含むようにした請求項６の非対称形カード。
【請求項２２】
前記上部ケース部分及び前記下部のケース部分と、前記非対称形カードとが、プラスチック基板で形成した薄くて細長い部材である請求項６の非対称形カード。
【請求項２３】
前記上部カバー部分と前記下部カバー部分とが、プラスチック基板で形成した薄くて細長い部材であり、前記非対称形カードが、紙基板で形成した薄くて細長い部材である請求項６の非対称形カード。
【請求項２４】
前記カバー部分に対する前記非対称形カードの枢動運動を助けるように、前記非対称形カバーの上面に凹入部分を設けた請求項６の非対称形カード。
【請求項２５】
前記磁気ストライプが、前記弧状の第１のカード端部と前記弧状の第２のカード端部との間に延びるようにし、前記磁気ストライプ情報を、前記弧状の第１のカード端部と前記弧状の第２のカード端部との間で、前記磁気ストライプに保持した請求項６の非対称形カード。
【請求項２６】
前記第２のカード連結部分が、前記非対称形カードの下面に形成した２点間に延び、これ等の２点が、これ等の２点間において前記磁気ストライプに実質的に平行な線を形成するようにした請求項６の非対称形カード。
【請求項２７】
協働する磁気ストライプ読取装置内に前記非対称形カード用の接触点を、前記２点が形成するようにした請求項２６の非対称形カード。
【請求項２８】
前記各表面が、相互に対し９０°の角度をなさない少なくとも２つの縁部を持つようにした請求項１の非対称形カード。